(57)【要約】      （修正有）【課題】シャッターカーテン端部がガイドレールから離脱する時あるいは離脱する前に、シャッターカーテンに所定の力が作用していることを検知してシャッターカーテンの制御を行う。【解決手段】シートシャッターにおける検知装置である。シートシャッターのガイドレール支持機構２０は、支持機構２０の構成要素が変形あるいは／および変位することで、シャッターカーテン端部を受け入れたガイドレール２がシャッターカーテン１の撓みや膨らみに追従して移動することを許容すると共に、所定の大きさを超える力がシャッターカーテン１に作用した場合には、シャッターカーテン端部をガイドレールから離脱させる。支持機構２０内には、支持機構２０の構成要素の変形あるいは／および変位が所定量を超えた時に作動する検知手段Ｓが設けてあり、検知手段Ｓは、シャッターカーテン端部の離脱前あるいは離脱時に作動して検知信号を制御部に送信する。【選択図】図８
2008007973.tif 000002
【特許請求の範囲】
【請求項１】
建物開口部を開閉するシート状のシャッターカーテンと、シャッターカーテンの両端部を案内するガイドレールと、ガイドレールを支持するガイドレール支持機構と、を有するシートシャッターにおける検知装置であって、
前記支持機構は、当該支持機構の構成要素が変形あるいは／および変位することで、シャッターカーテン端部を受け入れたガイドレールがシャッターカーテンの撓みや膨らみに追従して移動することを許容すると共に、所定の大きさを超える力がシャッターカーテンに作用した場合には、シャッターカーテン端部をガイドレールから離脱させるように構成されており、
前記支持機構内には、当該支持機構の構成要素の変形あるいは／および変位が所定量を超えた時に作動する検知手段が設けてあり、前記検知手段は、シャッターカーテン端部の離脱前あるいは離脱時に作動して検知信号を制御部に送信するように構成されている、検知装置。
【請求項２】
前記支持機構は、ガイドレールを開口幅方向に移動可能に支持する軸部材を有しており、前記検知手段は、前記軸部材の開口幅方向の変位量が所定量を超えた時に作動するものである、請求項１に記載の検知装置。
【請求項３】
前記支持機構は、開口部縦枠に装着されていると共に、前記支持機構の構成要素の少なくとも一部は、前記縦枠内に配設されており、前記検知手段は、前記縦枠内に配設されている、請求項１，２いずれかに記載の検知装置。
【請求項４】
前記制御部は、検知信号を受信して、シャッターカーテンを異常停止あるいは／および低速上昇させるものである、
請求項１乃至３いずれかに記載の検知装置。
【請求項５】
前記シートシャッターは、離脱したシャッターカーテン端部の復帰手段を備えており、前記復帰手段は、シャッターカーテンの上昇操作によるものであり、前記検知手段は、シャッターカーテンの上昇開始前に検知信号を制御部に送信する、請求項１乃至４いずれかに記載の検知装置。
【発明の詳細な説明】
【技術分野】
【０００１】
本発明は、シートシャッター装置における検知装置に係り、詳しくは、所定以上の負荷がシート状のシャッターカーテンに作用した場合に、シャッターカーテン端部がガイドレールから外れるようにしたシートシャッター装置における検知装置に関するものである。一つの好適な態様では、当該検知装置は、シャッターカーテン端部がガイドレールから離脱することを検知するものである。
【背景技術】
【０００２】
シートシャッター装置のシャッターカーテンを構成するシートは、鋼製スラットからなるシャッターカーテンに比べて強度が弱く、シートに所定以上の力が加わると、シートが破損してしまうおそれがある。そこで、シートに所定以上の力が加わると、シートの端部がガイドレールから外れるようにしたものが提案されており、シート端部がガイドレールから離脱する構成については、例えば、特許文献１，２に記載されている。
【０００３】
ここで、従来の「シート端部がガイドレールから離脱可能なシートシャッター」に係る技術的思想は、「シートに力が加わった場合に、どのようにしてシートがガイドレールから外れるようにするか」、「外れたシートをどのようにガイドレール内に復帰させるか」に着目したものであった。
【０００４】
しかしながら、シートの一方の端部あるいは両端部がガイドレールから外れた状態でシートを上昇させると、外れたシートが暴れながら上昇するため、シートやガイドレールが傷ついたり、破損したりするおそれがある。特に、通行者や車両を検知するセンサを有しており、当該センサが通行者や通行車両を検知した時に、シートを上昇させるように制御されたシートシャッター装置においては、風圧でシートがガイドレールから離脱したような場合に、離脱したシートが風で前後に大きく振れることで、当該センサによる検知が行われ、離脱したシートが暴れながら自動で上昇してしまうことになる。
【０００５】
特許文献３には、シャッターの側縁部が案内路から外れたことを検知するスイッチが開示されている（段落番号００４０参照）。しかしながら、特許文献３で開示された検知手段は、案内路から外れたシャッターが上昇することによる再導入要素の対応する変位を当該スイッチで検知するものであって、上記の不具合を解決することはできない。すなわち、特許文献３の検知手段は、シャッターの側縁部が案内路から外れたことをその時点で検知するものではなく、シャッターの側縁部が案内路から外れてからシャッターカーテンが上昇した後に、再導入要素の対応する部位の変位をスイッチで検知するものであり、スイッチによる検知までの間に、離脱したシャッター側縁部が暴れながら上昇することに変わりない。
【特許文献１】特開２００１−１２１７４
【特許文献２】特許２８８４１０３号
【特許文献３】特表２００５−５１１９２７
【発明の開示】
【発明が解決しようとする課題】
【０００６】
本発明は、シャッターカーテン端部がガイドレールから離脱する時あるいは離脱する前に、シャッターカーテンに所定の力が作用していることを検知してシャッターカーテンの制御を行うことで、上記不具合を解決することを目的とするものである。
【課題を解決するための手段】
【０００７】
かかる課題を達成するために本発明が採用した検知装置は、建物開口部を開閉するシート状のシャッターカーテンと、シャッターカーテンの両端部を案内するガイドレールと、ガイドレールを支持するガイドレール支持機構と、を有するシートシャッターにおける検知装置であって、前記支持機構は、当該支持機構の構成要素が変形あるいは／および変位することで、シャッターカーテン端部を受け入れたガイドレールがシャッターカーテンの撓みや膨らみに追従して移動することを許容すると共に、所定の大きさを超える力がシャッターカーテンに作用した場合には、シャッターカーテン端部をガイドレールから離脱させるように構成されており、前記支持機構内には、当該支持機構の構成要素の変形あるいは／および変位が所定量を超えた時に作動する検知手段が設けてあり、前記検知手段は、シャッターカーテン端部の離脱前あるいは離脱時に作動して検知信号を制御部に送信するように構成されている。
【０００８】
一つの態様では、前記支持機構は、ガイドレールを開口幅方向に移動可能に支持する軸部材を有しており、前記検知手段は、前記軸部材の開口幅方向の変位量が所定量を超えた時に作動するものである。一つの好ましい態様では、軸部材は、開口部側へ移動した時に、開口部から離隔する方向に付勢されるように構成されており、軸部材を開口部側へ移動させる力が除去されると、軸部材は、当該付勢力によって、開口部から離隔する側へ移動して元の位置に復帰する。
【０００９】
具体的な態様例では、ガイドレール支持機構は、ガイドレールを受け入れる外ガイドレール、開口部の縦枠内において高さ方向に延出するプレート、縦枠の見込壁の内側面とプレートとの間に設けた弾性部材、とを有し、前記軸部材は、外ガイドレールの底壁、前記見込壁、前記弾性部材、前記プレートを貫設して軸方向に移動可能に延出しており、前記見込壁の内側面と前記プレートとの間に形成された空間（当該空間には前記弾性部材は設けられていない）に検知手段を設けてなる。さらに具体的な態様例では、前記見込壁の内側面、前記プレートのいずれか一方に押圧部を設け、他方に被押圧部を設ける。
【００１０】
一つの態様では、前記支持機構は、開口部縦枠に装着されていると共に、前記支持機構の構成要素の少なくとも一部は、前記縦枠内に配設されており、前記検知手段は、前記縦枠内に配設されている。こうすることで、検知手段が外部に露出することがなく、誤作動を防止できると共に、意匠上も好ましい。
【００１１】
尚、ガイドレール支持機構の構成は、後述する実施形態のものに限定されるものではない。例えば、ガイドレール支持機構は、特許文献１における機構であってもよく、軸部材としてのボルトの変位量を検知するような検知スイッチを付加する（例えば、縦枠内に）ものでもよい。
【００１２】
検知信号を受信した後の具体的な制御手順については、シャッター装置の設置場所や使用態様、シャッターカーテン端部離脱の理由等の条件によって、様々な制御が可能であることは当業者にとって理解されるが、前記制御部は、一つの態様では、検知信号を受信して、シャッターカーテンを異常停止あるいは／および上昇（好ましくは、低速上昇）させるものである。ここで、「シャッターカーテンの異常停止」には、シャッターカーテン移動時では、シャッターカーテンの移動を停止し、あるいは、さらに、停止後にシャッターカーテンの移動を不能とし、シャッターカーテン停止時では、シャッターカーテンの移動を不能とする、ことを含む。「シャッターカーテンの移動を不能とする」とは、例えば、操作パネルから開放信号あるいは閉鎖信号の入力ができない状態を言う。一つの態様では、シャッターカーテンが異常停止状態にある場合には、異常ランプが操作パネルに表示され、操作パネル上の解除ボタン（復旧ボタン）からの解除信号の入力で、異常停止状態が解除されるようにする。シャッターカーテン制御手段は、異常停止後、あるいは、離脱検知信号の受信に応じて、シャッターカーテンを上昇させてもよい。また、離脱検知信号受信後、離脱したシャッターカーテンが元の状態に復帰するまでは、通行者・通行車両を検知するセンサ等のセンサは不能となる。したがって、解除ボタンで異常停止状態が解除された場合であっても、通行者・通行車両を検知するセンサ等のセンサは不能状態が維持される。
【００１３】
離脱したシャッターカーテン端部の復帰手段は、一つの好ましい態様では、シャッターカーテンの上昇操作によるものであり、前記検知手段は、シャッターカーテンの上昇開始前に検知信号を制御部に送信する。一つの態様では、離脱したシャッターカーテン端部の復帰手段は、シャッターカーテンを全開位置まで上昇させるものである。この場合には、シャッターカーテンが全開位置となった時に、通行者・通行車両を検知するセンサ等のセンサは不能状態が解除され、これらのセンサが有効となる。他の態様では、離脱したシャッターカーテン端部の復帰手段は、ガイドレールの中間部位にガイド手段を設け、シャッターカーテンの上昇中に、ガイド手段によってガイドレール内へシャッターカーテン端部を復帰させるものである。この場合には、次に述べるように通常時の上昇速度よりも低速でシャッターカーテンを上昇させるものにおいて、ガイドレール復帰後は、通常時の上昇速度でシャッターカーテンを上昇させてもよい。
【００１４】
好ましい態様では、シャッターカーテン制御手段は、通常時の上昇速度よりも低速で、端部がガイドレールから離脱したシャッターカーテンを上昇させるものである。こうすることで、シャッターカーテン端部がガイドレールから離脱した状態でシャッターカーテンを上昇させても、シャッターカーテンの離脱部位の暴れを最小限に止めることができ、シャッターカーテンやガイドレールの損傷を可及的に防止することができる。
【発明の効果】
【００１５】
本発明では、シャッターカーテン端部がガイドレールから離脱したこと、あるいは、離脱しそうなことを、離脱の前あるいは離脱時に検知し、検知信号によってシャッターカーテンの移動を制御するものであり、シャッターカーテン端部が離脱する前、あるいは、シャッターカーテン端部が離脱した時点で検知信号を送信して制御を開始することができる。よって、シャッターカーテン端部がガイドレールから離脱した後に外れたシートが暴れながら上昇して、シートやガイドレールが傷ついたり、破損したりすることを防止することができる。
【発明を実施するための最良の形態】
【００１６】
［Ａ］シートシャッターの全体構成
本発明に係るシートシャッターの全体構成について適宜図面を参照しながら説明する。シートシャッター装置は、建物開口部を開閉するシート状のシャッターカーテン１と、建物開口部の両端に立設されている一対のガイドレール装置Ｇと、シャッターカーテン１の上端が連結してあり、開口部（シャッターカーテン）幅方向に延出する巻取シャフト３と、建物開口部の上方に配設され、巻取シャフト３を内装するシャッターケース４と、巻取シャフト３を回転駆動させる図示しない開閉機と、開閉機を制御する制御部とを有する。ガイドレール装置Ｇは、シャッターカーテン１の幅方向端部を受け入れて案内するガイドレール２と、ガイドレール２を支持するガイドレール支持機構２０と、から構成されている。制御部は、制御回路を有し、制御部への入力に応じて制御回路を介して指令が開閉機のモータに送信され、モータの回転により巻取シャフト３を回転させることで、シャッターカーテン１が巻取シャフト３に巻装され、あるいは、巻取シャフト３から繰り出されて、建物開口部を開閉する。シートシャッターは、通行者や通行車両を検知する手段を有しており、通常時には、通行者や車両を検知する手段からの入力によって、自動で建物開口部を開閉する。制御部は、さらに、操作パネル（制御盤）を含み、操作パネルからの手動入力によって、建物開口部を開閉することができる。
【００１７】
シャッターカーテン１は、本体シート１０と、本体シート１０の幅方向左右両端に上下方向に間隔を存して設けてなる複数のガイド体（ガイドローラ５、ガイドブロック５Ａ）と、本体シート１０の下端に形成した内袋状部１１と外袋状部１２とを有し、内袋状部１１の直上に位置して、本体シート１０の幅方向に延出する姿勢保持バー６が設けてある。内袋状部１１内には、本体シート１０の幅方向左右に均等に配設された左右一対のボトムウェイト７と、ボトムウェイト７間にはスペーサとしてのパイプ８が内装されている。内袋状部１１と外袋状部１２の間にはクッションとしての弾性部材９が設けてある。尚、一つの好ましい態様として、シャッターカーテン端部とガイドレール２との係止手段として、シャッターカーテン１の両端部に設けたガイド体（ガイドローラ５、ガイドブロック５Ａ）を示したが、シャッターカーテン端部とガイドレール２との係止手段としては、特許文献２に開示されているようなロッドでもよい。
【００１８】
ガイドレール２は、建物開口部左右の縦枠２００に装着されるガイドレール支持機構２０に支持されることによって、開口幅方向Ｘ及び前後方向Ｙ（図７参照）に移動可能であり、シャッターカーテン１の撓みや膨らみに追従して移動できるようになっている。ガイドレール支持機構２０は、ガイドレール２を受け入れる外ガイドレール２１、ガイドレール２の底部側に一体的に嵌合された補助レール２１０、縦枠２００の見込壁２０１に形成された凹部２０２、外ガイドレール２１と凹部２０２の外側面との間に設けた第１弾性部材１３、縦枠２００内において高さ方向に延出するプレート１６、凹部２０２の内側面とプレート１６との間に設けた第２弾性部材１４、一端が補助レール２１０に装着され、外ガイドレール２１、第１弾性部材１３、凹部２０２、第２弾性部材１４、プレート１６を貫設して延出するボルト（軸部材）１５、ボルトの他端に設けたナット１７、プレート１６とナット１７との間に設けたコイルスプリング１８、とから構成されている。
【００１９】
ガイドレール２の底部には、補助レール２１０が嵌合されている。ガイドレール２は、開口高さ方向に延出する長尺部材であって、シート本体１０の幅方向左右両端に上下方向に間隔を存して設けた複数のガイド体（ガイドローラ５、ガイドブロック５Ａ）は、通常時（開閉時及び全閉時）は、ガイドレール２内に位置している。ガイドレール２の底部の後側には、一対の嵌合片が一体形成されている。補助レール２１０は、開口高さ方向に延出する長尺部材であって、前側には一対の嵌合片が一体形成されており、補助レール２１０の嵌合片とガイドレール２の嵌合片とを嵌合させることで、ガイドレール２と補助ガイドレール２１０とが一体化される。ガイドレール２と補助ガイドレール２１０とは一体として開口幅方向に移動できるようになっている。通常時には、ガイドレール２及び補助レール２１０は共に、外ガイドレール２１内に収納されている。補助レール２１０の後側には一対の片からなるボルト受け入れ部が形成されており、ボルト１５の一端側に形成された頭部が受け入れられる。
【００２０】
縦枠２００の見込壁２０１には凹部２０２が形成されており、凹部２０２を形成する見込壁を挟むようにして、縦枠２００の外側の第１弾性部材１３、縦枠２００の内側の第２弾性部材１４が設けてある。より具体的には、凹部２０２の外側面と外ガイドレール２１との間に第１弾性部材１３が挟持されており、凹部２０２の内側面とプレート１６との間に第２弾性部材１４が挟持されている。第１弾性部材１３は開口高さ方向に延出する長尺材であり、外ガイドレール２１の底部側部位を受け入れるように構成されている。第２弾性部材１４は、一つの態様では、複数の短尺材を、凹部２０２の内側面とプレート１６との間に位置させて、開口高さ方向に所定間隔を存して複数配設したものであるが、第１弾性部材１３と同様に長尺材でもよい。ボルト１５が、外ガイドレール２１の底壁、第１弾性部材１３、縦枠の２００の見込壁２０１（凹部２０２）、第２弾性部材１４、プレート１６を、貫設して開口幅方向（見付方向）に延出している。ボルト１５の一方の端部はガイドレール２の底部に一体化された補助レール２１０に連結されており、ボルト１５の他方の端部にはナット１７が設けられ、ナット１７とプレート１６の間に位置してコイルスプリング１８が介装されている。ボルト１５の軸部は、外ガイドレール２１の底壁、縦枠の２００の見込壁２０１（凹部２０２）、プレート１６、に対して、図示しない挿通孔を介して遊びを有して貫設されており、ボルト１５が軸方向（開口幅方向Ｘ）に移動可能であると共に、前後方向Ｙに揺動可能となっている。また、ボルト１５は第２弾性部材１４、コイルスプリング１８によって弾性的に支持されているため、ボルト１５は、第２弾性部材１４、コイルスプリング１８の圧縮・復帰によって、開口幅方向Ｘに移動可能であり、また、第１弾性部材１３、第２弾性部材１４、及び上記挿通孔（図示せず）によって、前後方向Ｙに揺動可能となっている。
【００２１】
上述のように構成することで、ガイドレール２は、ガイドレール支持機構２０を介して、縦枠２００に、開口幅方向Ｘ及び前後方向Ｙに移動可能に支持されており、支持機構２０の構成要素が変形あるいは/および変位することで、シャッターカーテン端部を受け入れたガイドレール２がシャッターカーテン１の撓みや膨らみに追従して移動することを許容すると共に、所定の大きさを超える力がシャッターカーテン１に作用した場合には、シャッターカーテン端部をガイドレール２から離脱させるように構成されている。
【００２２】
ガイドレール２、ガイドレール支持機構２０からなるガイドレール装置Ｇの動きについて説明する。シャッターカーテン１に力が作用して、シャッターカーテン１が撓んだり膨らんだりすると、シャッターカーテン１の端部が縦枠２００から離れる方向（開口部側）に斜めに引っ張られるため、ガイドレール２も、ガイド体（ガイドローラ５、ガイドブロック５Ａ）を介して、縦枠２００から離れる方向に引っ張られる。この時、ガイドレール２は、補助レール２１０を介してボルト１５と連結されており、ボルト１５も開口部側に向かって斜めに引っ張られる。ボルト１５が開口部側に斜めに引っ張られると、第２弾性部材１４、コイルスプリング１８を圧縮しながら、ガイドレール２、補助レール２１０、ボルト１５、プレート１６が、開口部側に移動し、同時に、第１弾性部材１３、第２弾性部材１４が弾性変形して、ボルト１５が傾動する（図７下図）。ガイドレール支持機構２０（外ガイドレール２１）に対するガイドレール２の移動量が所定の範囲内であれば、シャッターカーテン１に作用する力が除去されると、ガイドレール２は元の位置（図７上図）に自動的に復帰する。
【００２３】
ガイドレール２は弾性部材から構成されており、シャッターカーテン１に作用する力が所定の大きさを超えると、ガイドレール２が外ガイドレール２１から抜け出して、外ガイドレール２１による拘束が無くなって、ガイドレール２が拡開状に変形することで、ガイドローラ５がガイドレール２から抜け出す（シャッターカーテン１の端部がガイドレール２から離脱する）こととなる（図７下図）。
【００２４】
ガイドレール２の上端部位には、第１ガイド２２が設けてあり、第１ガイド２２の上方には、まぐさ部に位置して第２ガイド２３、第３ガイド２４が配設されている。シャッターカーテン１の端部のガイド体（ガイドローラ５、ガイドブロック５Ａ）が内ガイドレール２１から外れた状態において、シャッターカーテン１を上昇させると、ガイドレール２から外れたシャッターカーテン１の端部がガイドレール２の外側に位置して上昇するが、離脱したシャッターカーテン端部は第２ガイド２３に案内されて上昇され、シート本体１０の下端部位近傍に設けた姿勢保持バー６は第３ガイド２４に案内されて上昇する。シャッターカーテン１が巻取シャフト３に巻き取られた全開状態では、最下位のガイドブロック５Ａは、第１ガイド２２の上方に位置しており（図３参照）、その状態からシャッターカーテン１を降下させれば、シャッターカーテン端部はガイドレール２に案内されながら降下して、ガイドレール２内に納まることになる。このような離脱したシャッターカーテン端部の自動復帰手段の詳細な構成は、特開２００５−６１０５９に開示されており、特開２００５−６１０５９の記載を参照することができる。
【００２５】
［Ｂ］シャッターカーテン端部離脱検知装置
シートシャッター装置はシャッターカーテン端部離脱検知装置を有している。シャッターカーテン端部離脱検知装置は、シャッターカーテン１の少なくとも一方の端部がガイドレール２から離脱したことを検知して離脱検知信号を送信するシャッターカーテン端部離脱検知手段と、離脱検知信号を受信する制御部とを有している。一つの態様では、制御部は、シャッターカーテン１を異常停止あるいは／および上昇させる。
【００２６】
シャッターカーテン端部離脱検知手段は、ガイドレール支持機構２０内に設けられた検知スイッチＳを有している。検知スイッチＳは、ガイドレール支持機構２０内において、支持機構２０の構成要素の変形あるいは/および変位が所定量を超えた時に作動するように設けてあり、検知スイッチＳは、シャッターカーテン端部の離脱前（離脱直前を含む）あるいは離脱時に作動して検知信号を制御部に送信するように構成されている。
【００２７】
一つの好ましい態様では、検知手段は接触式の検知スイッチＳであって、検知スイッチＳは、凹部２０２とプレート１６との間の空間に配設されており、凹部２０２とプレート１６間の空間に装着されている第２弾性部材１４が所定量を超えて圧縮された時に、作動するように構成される。図示の例では、凹部２０２の内側面とプレート１６との間の空間には、複数の第２弾性部材１４が高さ方向に間隔を存して配設されており、上下隣位の第２弾性部材１４の間の空間に検知スイッチＳが設けてある。凹部２０２の内側面、プレート１６は共に縦枠２００内にあることから、検知スイッチＳも縦枠２００内に位置することになる。
【００２８】
より具体的な態様例では、プレート１６側には押圧部Ｓ１、凹部２０２側には被押圧部Ｓ２が設けてある。ボルト１５が開口部側に斜めに引っ張られると、第２弾性部材１４、コイルスプリング１８を圧縮しながら、ガイドレール２、補助レール２１０、ボルト１５、プレート１６が、開口部側に移動し、同時に、第１弾性部材１３、第２弾性部材１４が弾性変形して、ボルト１５が傾動し、第２弾性部材１４が圧縮されることで、凹部２０２とプレート１６間の空間が所定量を超えて小さくなった時に、押圧部Ｓ１が被押圧部Ｓ２を押圧することで検知スイッチＳが作動して、検知信号が制御部に送信される。被押圧部Ｓ２は一つの態様例では、障害物検知のためにシャッターカーテンの下端の座板に設けられるテープスイッチと同様のものが採用される。押圧部Ｓ１は一つの態様例では、プレートに装着された螺子の頭部である。各ガイドレール支持機構２０に設ける検知スイッチＳの数は限定されない。
【００２９】
また、検知スイッチＳが作動する時のガイドレール支持機構２０の構成要素の変形量あるいは/および変位量（例えば、ボルト１５の移動量、第２弾性部材１４の圧縮量）を選択することで、検知スイッチＳの検知感度を変更することができる。図８の例では、図８下図の状態で検知スイッチＳが作動するようになっており、シャッターカーテン端部がガイドレール２から離脱する直前ないし離脱時に検知スイッチＳが作動して検知信号を制御部に送信する。検知スイッチＳの検知感度をより敏感にすることで、実際にシャッターカーテン端部がガイドレール２から離脱する前に、検知信号を制御部に送信するように検知スイッチＳを構成することもできる。例えば、実際にシャッターカーテン端部が離脱することはないが、シャッターカーテン１を開放するには適切でない程の風圧がシャッターカーテン１に作用した時の第２弾性部材１４の圧縮で検知スイッチＳが作動するように検知スイッチＳの感度を調整してもよい。
【００３０】
また、本発明では、検知スイッチＳは、ガイドレール支持機構２０内（実施形態では縦枠内）に設けてあると共に、ガイドレール支持機構２０の構成要素の変形あるいは/および変位により作動するものであるため、通常の建物開口部の通行によって検知スイッチＳが誤検知を行なうようなことがない。
【００３１】
［Ｃ］制御部によるシャッターの制御
シャッターカーテン制御手段の基本的な構成を図９に示す。巻取シャフト３を介してシャッターカーテンを昇降させる開閉機は、制御部によって制御されている。通行者・通行車両検知手段からの入力信号が制御部の制御回路に送信されると、制御回路から所定の信号が開閉機のモータに送信される。一つの態様では、通行者・通行車両を検知すると、自動で開放信号が入力されて、巻取シャフト３がシャッターカーテン１を巻き取る方向の回転力が、開閉機のモータから出力される。開口部全開状態において、通行者・通行車両の検知が無くなると、所定時間後に、自動で閉鎖信号が入力されて、巻取シャフト３からシャッターカーテン１が繰り出される方向の回転力が、開閉機のモータから出力される。制御部の制御回路への入力信号は手動で入力してもよい。制御部は、操作パネル（制御盤）を有しており、操作パネルからの入力信号によって、制御回路から所定の信号が開閉機のモータに送信される。操作パネルの開放スイッチから開放信号が入力されると、巻取シャフト３がシャッターカーテン１を巻き取る方向の回転力が、開閉機のモータから出力される。操作パネルの閉鎖スイッチから閉鎖信号が入力されると、巻取シャフト３からシャッターカーテン１が繰り出される方向の回転力が、開閉機のモータから出力される。シャッターカーテン１の移動中に、操作パネルの停止スイッチから停止信号が入力されると、開閉機のモータへの電力供給が遮断されて、シャッターカーテン１の移動が停止する。
【００３２】
検知スイッチＳが作動して制御部に検知信号が送信されると、シャッターカーテン１が異常停止状態となる。異常停止状態とは、シャッターカーテンの移動が停止しており、かつ、シャッターカーテンの移動を不能（操作パネルにおける、開放信号、閉鎖信号の入力が不能となる）とする状態を言う。また、異常停止状態となると、操作パネルに異常ランプが点灯する。操作パネルには解除スイッチ（復旧スイッチ）が設けてあり、解除スイッチから解除信号を入力することで、異常停止状態が解除される。異常停止状態が解除されると、異常ランプ点灯が消滅し、操作パネルからの開放信号、閉鎖信号の入力が可能となる。さらに、シャッターカーテン端部離脱検知手段から制御部に検知信号が送信されると、通行者・通行車両検知手段を構成するセンサ等が不能状態となる。当該センサの不能状態は、端部がガイドレール２から離脱したシャッターカーテン１がガイドレール２に復帰するまで維持され、前記解除スイッチの解除信号によっても、センサの不能状態が維持される。シャッターカーテンが全開位置となった時に、通行者・通行車両を検知するセンサ等のセンサは不能状態が解除され、これらのセンサが有効となる。
【００３３】
本発明に係るシートシャッター装置では、ガイドレール２から離脱したシャッターカーテン端部のガイドレール２への復帰手段は、シャッターカーテン１を全開位置（上限位置）まで上昇させるものである。シャッターカーテン上限位置において、シャッターカーテン端部はガイドレール２の直上に位置し、上限位置からシャッターカーテン１を降下させることで、シャッターカーテン端部はガイドレール２に案内される。したがって、異常停止後には、シャッターカーテン１を上昇させる必要がある。ここで、異常停止状態解除後において、操作パネルから開放信号を入力した場合には、シャッターカーテン１を通常の上昇時よりも減速された低速で上昇させるような信号が開閉機のモータに送信される。
【００３４】
上述のように構成されたシャッターカーテン端部離脱検知装置におけるシャッターカーテン端部の離脱検知時の制御の流れを説明する。通常動作時（シャッターカーテン移動時、停止時の双方を含む）において、シャッターカーテン１にシャッターカーテン端部がガイドレール２から離脱するような力が作用した場合には、シャッターカーテン端部の離脱直前に検知スイッチＳが作動して、シャッターカーテン端部の離脱を、離脱と略同時に検知し、離脱検知信号を制御部に送信することで、シャッターカーテン１が異常停止状態となる。
【００３５】
シャッターカーテン１が異常停止状態となると、操作パネル上に、異常ランプが点灯する。操作パネル上の解除スイッチから解除信号を入力することで、異常停止状態が解除される。異常状態解除後に、操作パネル上の開放スイッチから開放信号を入力すると、通常の速度よりは減速された低速で全開位置までシャッターカーテン１が上昇される。ここで、シャッターカーテン端部がガイドレール２から離脱した原因が、車両等がシャッターカーテン１にぶつかったことによるものである場合には、原因を取り除いた後で、操作パネルのモードを自動モードとして通常運転を行う。シャッターカーテン端部がガイドレール２から離脱した原因が、風圧による場合には、シートシャッター装置は全開状態としたままで、併設のシャッター装置（重量シャッターやオーバーヘッドドア等）を用いて開口部を開閉する。風圧が十分小さくなったことが確認できれば、シートシャッター装置の操作パネルのモードを自動モードとして通常運転を行う。
【００３６】
また、シャッターカーテン端部がガイドレール２から離脱した後の処理を自動で制御してもよい。一つの態様では、制御部が離脱検知信号を受信した時に、シャッターカーテン１を異常停止状態とする。シャッターカーテン移動時であれば、自動的に開閉機のモータを停止させてシャッターカーテン１の移動を停止すると共に、操作パネルからの信号入力を不能とする。シャッターカーテン停止時（例えば開口部全閉状態）であれば、操作パネルからの信号入力を不能とする。異常停止後、所定秒経過後に、制御回路から開閉機のモータに所定の駆動信号が自動的に送信され、低速で巻取シャフト３を回転させてシャッターカーテン１を上昇させて、全開状態とする。全開状態後は、通常動作に復帰する。通行者・通行車両を検知するセンサは、シャッターカーテン１が全開位置まで上昇されるまでは不能状態が維持され、全開状態となった後に、通行者・通行車両を検知するセンサが有効となる。
【００３７】
また、主として、検知スイッチＳを備えたシャッターカーテン端部離脱検知装置について説明したが、本発明の検知スイッチＳは、シャッターカーテン端部が実際にガイドレール２から離脱したことを検知することに限定されるものではなく、シャッターカーテン端部がガイドレール２から離脱する程度の力がシャッターカーテンに作用した場合に、その時の支持機構の構成要素の変形及び変位を検知して、シャッターカーテン端部が実際にガイドレール２から離脱する前に、検知信号を制御部に送信するようにしてもよい。例えば、風圧が、所定の耐風圧を超える場合に検知スイッチＳが作動するように構成して、シャッター制御部に異常停止信号を送信し、シャッターカーテン１を異常停止状態とすることができる。さらに、操作パネル上の異常ランプやブザー等によって異常表示を行う。このような検知装置を設けることで、シャッターカーテン１が風圧でガイドレール２から外れる前にシートシャッター１の昇降移動を停止し、シートシャッターの耐風性能以上の風圧がかかっていることを注意喚起する。一つの態様では、異常表示があった場合には、異常停止状態を解除した後、直ちにシートシャッターを上昇させ、併設の重量シャッターやオーバーヘッドドアによって建物開口部を閉鎖する。
【産業上の利用可能性】
【００３８】
本発明は、シートシャッター装置に利用することができる。
【図面の簡単な説明】
【００３９】
【図１】開口部全開状態におけるシートシャッター装置の全体正面図及び全体側面図である。
【図２】シートシャッター装置のシート状のシャッターカーテンの正面図及び下端部位を拡大して示す図である。
【図３】図１のシートシャッター装置を拡大して示す正面図及び平面図である。尚、開口幅寸法及び開口高さ寸法は短縮して示してある。
【図４】図３のシートシャッター装置の側面図である。
【図５】縦枠に設けられたガイドレール装置の側面図である。
【図６】図５において、検知手段を示したものである。
【図７】上図は、図３の平面図において、一方のガイドレール部位を拡大して示す図であり、下図は、上図の状態から、シャッターカーテン端部がガイドレールから離脱した状態を示す図である。
【図８】図７において、検知手段を示したものである。
【図９】シャッターカーテン制御部の構成を示す図である。
【符号の説明】
【００４０】
１  シャッターカーテン
１０  シート本体
Ｇ  ガイドレール装置
２  ガイドレール
２０  ガイドレール支持機構
Ｓ  検知スイッチ
【図１】
2008007973.tif 000003
【図２】
2008007973.tif 000004
【図３】
2008007973.tif 000005
【図４】
2008007973.tif 000006
【図５】
2008007973.tif 000007
【図６】
2008007973.tif 000008
【図７】
2008007973.tif 000009
【図８】
2008007973.tif 000010
【図９】
2008007973.tif 000011